(57)【要約】【課題】コネクタのガタつき及び異音の発生を防止すると共に、コネクタホルダーの剛性を上げてコネクタの取付作業性を向上させる。【解決手段】平板部１０ａよりコネクタ収容枠１１とロック片１２を間隔をあけて並設し、コネクタ収容枠１１のロック片１２に対向する外面にコネクタロック部１１ａを設け、ロック片１２の一面側に設けたロック部１２ａはコネクタロック部１１ａと同方向を向いていると共に、コネクタロック部１１ａと対向するロック片１２の他面側にはリブ１２ｂを突出させ、コネクタ収容枠１１とロック片１２との間のコネクタ配置空間ＳにコネクタＣ１を挿入し、コネクタＣ１の被ロック部Ｃ１−１をコネクタロック部１１ａに係止すると共に、ロック片１２のリブ１２ｂをコネクタＣ１の被ロック部Ｃ１−１が設けられた面の反対面に当接させている。【選択図】　図１
2004031258.tif 000002
【特許請求の範囲】
【請求項１】
平板状の平板部よりコネクタを内部に収容するコネクタ収容枠とロック片を間隔をあけて並設し、該コネクタ収容枠の上記ロック片に対向する外面にコネクタロック部を設け、
上記ロック片の一面側に設けたロック部は上記コネクタロック部と同方向を向いていると共に、上記コネクタロック部と対向する上記ロック片の他面側にはリブを突出させ、
上記コネクタ収容枠と上記ロック片との間の空間をコネクタ配置空間とし、該コネクタ配置空間にコネクタを挿入し、該コネクタの被ロック部を上記コネクタロック部に係止すると共に、上記ロック片の上記リブを上記コネクタの被ロック部が設けられた面の反対面に当接させていることを特徴とするコネクタホルダー。
【請求項２】
上記コネクタ収容枠と上記ロック片との間の上記コネクタ配置空間に位置する平板部の外面に第２のリブを突出し、
上記コネクタロック部に係止されコネクタ配置空間に位置するコネクタの外面に上記第２のリブを当接させる構成としている請求項１に記載のコネクタホルダー。
【請求項３】
上記ロック片の一面側に設けたロック部は、コネクタのロック部としている請求項１または請求項２に記載のコネクタホルダー。
【請求項４】
上記リブは、上記コネクタ配置空間に配置される上記コネクタの挿入側をテーパー形状としている請求項１乃至請求項３のいずれか１項に記載のコネクタホルダー。
【発明の詳細な説明】
【０００１】
【発明の属する技術分野】
本発明は、コネクタホルダーに関し、特に、自動車の車体に固定されるコネクタホルダーに関するものである。
【０００２】
【従来の技術】
従来、自動車のカウルサイドパネルに取り付けて、狭小なスペースに配置するコネクタホルダーとして、図６（Ａ）（Ｂ）に示すような平板状のコネクタホルダー１が提供されている。
コネクタホルダー１は、平板状の平板部４の側面にコネクタ収容枠２とロック片３とを間隔をあけて突設しており、コネクタ収容枠２とロック片３との間の空間をコネクタ配置空間５としている。
コネクタ収容枠２の内部には内部に収容されるコネクタＣ３を固定するためのロック部２ｂを設けていると共に、コネクタ収容枠２の外面には、コネクタ配置空間５に配置される幅広のコネクタＣ１（例えば、多極のコネクタ、レバー式コネクタ）を係止するためのコネクタロック部２ａを備えている。
なお、平板部４の裏面には車体の係止孔（図示せず）に挿入係止されるクランプ部６が突設されている。
【０００３】
そして、コネクタＣ３は被ロック部Ｃ３−１をコネクタ収容枠２のロック部２ｂに係止して内部に収容固定し、幅広のコネクタＣ１は被ロック部Ｃ１−１をコネクタ収容枠２の外面のロック部２ａに係止固定し、コネクタＣ２はロック片３に係止固定している。
【０００４】
【発明が解決しようとする課題】
しかしながら、上記コネクタＣ１は幅広であることもあり、コネクタＣ１の一端側に設けられた被ロック部Ｃ１−１をロック部２ａに係止固定する１点支持のみでは、車体による振動によりコネクタＣ１がコネクタ配置空間５でガタついてしまい異音が生じる問題がある。
また、上記コネクタホルダー１は平板状であることより撓みが生じやすく、剛性に欠けると共に、ロック片３も平板部４より突設しているだけであるため剛性が弱く、コネクタＣ２のロック片３への取付は慎重に行わねばならず、作業性が低下する問題もある。
【０００５】
本発明は、上記問題に鑑みてなされたものであり、コネクタホルダーに取り付けるコネクタのガタつき及び異音の発生を防止すると共に、コネクタホルダーの剛性を上げてコネクタの取付作業性を向上させることを課題としている。
【０００６】
【課題を解決するための手段】
上記課題を解決するため、本発明は、平板状の平板部よりコネクタを内部に収容するコネクタ収容枠とロック片を間隔をあけて並設し、該コネクタ収容枠の上記ロック片に対向する外面にコネクタロック部を設け、
上記ロック片の一面側に設けたロック部は上記コネクタロック部と同方向を向いていると共に、上記コネクタロック部と対向する上記ロック片の他面側にはリブを突出させ、
上記コネクタ収容枠と上記ロック片との間の空間をコネクタ配置空間とし、該コネクタ配置空間にコネクタを挿入し、該コネクタの被ロック部を上記コネクタロック部に係止すると共に、上記ロック片の上記リブを上記コネクタの被ロック部が設けられた面の反対面に当接させていることを特徴とするコネクタホルダーを提供している。
【０００７】
上記構成とすると、上記コネクタ収容枠の外面のコネクタロック部にロックされた上記コネクタ配置空間に位置するコネクタは、上記被ロック部が設けられた面の反対面に上記ロック片の上記リブを当接させているので、コネクタの両側面が支持されてコネクタのガタつきが無くなり、異音の発生も防止できる。なお、上記コネクタが幅広のもの（例えば、多極コネクタ、レバー式コネクタ）である程、ガタつき防止効果がより発揮される。
また、上記コネクタ収容枠と上記ロック片の間の空間（コネクタ配置空間）をコネクタが埋めることとなるので、平板状のコネクタホルダーの撓みを防いで剛性を向上させることができる。
【０００８】
上記コネクタ収容枠と上記ロック片との間の上記コネクタ配置空間に位置する平板部の外面に第２のリブを突出し、
上記コネクタロック部に係止されコネクタ配置空間に位置するコネクタの外面に上記第２のリブを当接させる構成としている。
【０００９】
上記構成とすると、上記コネクタの両側面（２面）を支持するだけでなく、上記第２のリブをコネクタの別の面に当接させることにより、コネクタを３点支持することができ、より安定してコネクタを支持して確実にガタつきを防止することができる。
【００１０】
上記ロック片の一面側に設けたロック部は、コネクタのロック部としていると好適である。
つまり、上記ロック片が上記コネクタ配置空間に位置するコネクタと当接していることにより、ロック片は安定して撓みにくくなっているので、別のコネクタを上記ロック片のロック部にロック固定する際の作業性を向上させることができる。
【００１１】
上記リブは、上記コネクタ配置空間に配置される上記コネクタの挿入側をテーパー形状としていると、コネクタを該コネクタ配置空間に挿入する際に、コネクタのハウジングが上記リブのテーパー部に滑らかにガイドされ、コネクタのハウジングがリブと干渉して挿入しにくくなることも無くなるので、コネクタのコネクタ配置空間への挿入作業性が良好になる。
【００１２】
【発明の実施の形態】
以下、本発明の実施形態を図面を参照して説明する。
図１乃至図５は本発明の実施形態を示し、コネクタホルダー１０は自動車のカウルサイドパネルに取り付けて、複数のコネクタを保持するものである。
【００１３】
上記コネクタホルダー１０は、横長の平板状からなる平板部１０ａの一側面からコネクタ収容枠１１とロック片１２とを間隔をあけて突出している。
コネクタ収容枠１１は、その内面にロック部１１ｂを設けていると共に、コネクタ収容枠１１の外面にはロック片１２に対向する位置にコネクタロック部１１ａを設けている。
ロック片１２は、コネクタ収容枠１１に対向する面に、上端が傾斜したテーパー部１２ｂ−１を有する第１リブ１２ｂを突出している一方、第１リブ１２ｂのある面の反対面にはロック部１２ａを設けている。
【００１４】
上記コネクタ収容枠１１とロック片１２との間の空間を幅広のコネクタＣ１を配置するコネクタ配置空間Ｓとし、平板部１０ａのコネクタ配置空間Ｓ側の側面には、上端が傾斜したテーパー部１３ａを有する第２リブ１３が突出している。また、平板部１０ａの裏面にはカウルサイドパネル（図示せず）に設けた係止穴（図示せず）に挿入係止する固定用のクリップ部１５が突出していると共に、平板部１０ａの所要位置にボルト締め用のボルト孔１０ｂが穿設されている。
さらに、ロック片１２の下方位置には、コネクタホルダー１０に取り付けられたコネクタに接続された電線を方向規制するための電線ガイド部１４を平板部１０より突出して設けている。
【００１５】
次に、コネクタホルダー１０へのコネクタＣ１〜Ｃ３の固定動作について説明する。
まず、図２に示すように、幅広のコネクタ（例えば、多極のコネクタ、レバー式コネクタ）Ｃ１をコネクタ収容枠１１とロック片１２との間のコネクタ配置空間Ｓに挿入し、コネクタＣ１のハウジング外面の被ロック部Ｃ１−１をロック部１１ａに係止させる。
この際、第１リブ１２ｂと第２リブ１３の上側にはテーパー部１２ｂ−１、１３ａを設けているので、コネクタＣ１を滑らかにコネクタ配置空間Ｓに挿入可能となり、挿入作業性が向上する。
【００１６】
コネクタＣ１がコネクタ配置空間Ｓに配置された状態では、図３に示すように、コネクタＣ１のハウジング外面に、第１リブ１２ｂおよび第２リブ１３が当接する。
このように、コネクタＣ１の側面はロック部１１ａと第１リブ１２ｂと第２リブ１３との３点で支持されるので、本実施形態のような幅広のコネクタＣ１であってもガタつきが無くなり異音の発生も防止できる。
【００１７】
次いで、図４及び図５に示すように、コネクタＣ３の被ロック部Ｃ３−１をコネクタ収容枠１１の内部のロック部１１ｂに係止してコネクタ収容枠１１内に収容固定すると共に、コネクタＣ２の被ロック部（図示せず）をロック部１２ａに取り付けて係止する。
この際、ロック片１２がコネクタ配置空間Ｓに位置するコネクタＣ１と第１リブ１２ｂで当接していることにより、ロック片１２は安定して撓みにくくなっているので、コネクタＣ２をロック部１２ａにロック固定する際の作業性が向上する。
【００１８】
また、第１リブ１２ｂと第２リブ１３とによりロック片１２と平板部１０ａをコネクタＣ１に接触させて、コネクタ収容枠１１とロック片１２の間のコネクタ配置空間ＳをコネクタＣ１が埋めているので、平板状のコネクタホルダー１０の撓みが防がれて剛性を向上させることができる。
【００１９】
【発明の効果】
以上の説明より明らかなように、本発明によれば、上記コネクタ収容枠の外面のコネクタロック部にロックされ、上記コネクタ配置空間に位置するコネクタは、そのロック箇所の反対面を上記ロック片の上記リブと当接させているので、コネクタの両側が支持され安定し、コネクタのガタつきおよび異音の発生を防止できる。さらに、上記コネクタ配置空間に位置する平板部の外面にも第２のリブを突出させて上記コネクタと当接させることで、より安定してコネクタを支持でき、ガタつきおよび異音の発生を確実に防止することができる。
また、上記コネクタ収容枠と上記ロック片の間のコネクタ配置空間をコネクタが埋めることとなるので、平板状のコネクタホルダーの撓みの防止が図られてコネクタホルダーの剛性を向上させることができる。
【００２０】
また、上記ロック片が上記コネクタ配置空間に位置するコネクタと当接していることで、ロック片は安定し撓みにくくなっているので、別のコネクタを上記ロック片のロック部にロック固定する際の作業性が向上する。
さらに、上記リブは、上記コネクタ配置空間に挿入される上記コネクタの挿入側をテーパー形状としていることで、コネクタの挿入時に、コネクタのハウジングが上記リブのテーパー部に滑らかにガイドされ、挿入作業性が良好になる。
【図面の簡単な説明】
【図１】本発明の実施形態のコネクタホルダーを示す斜視図である。
【図２】コネクタホルダーにコネクタを取り付ける様子を示す斜視図である。
【図３】コネクタホルダーにコネクタをロックした状態を示す上面図である。
【図４】コネクタホルダーに別のコネクタを取り付ける様子を示す斜視図である。
【図５】コネクタホルダーに全てのコネクタをロックした状態を示す斜視図である。
【図６】（Ａ）は従来のコネクタホルダーを示す斜視図、（Ｂ）はコネクタをロック係止した状態を示す上面図である。
【符号の説明】
１０　コネクタホルダー
１０ａ　平板部
１０ｂ　ボルト穴
１１　コネクタ収容枠
１１ａ　コネクタロック部
１２　ロック片
１２ａ　ロック部
１２ｂ　第１リブ
１２ｂ−１、１３ａ　テーパー部
１３　第２リブ
１５　クリップ部
Ｃ１　コネクタ
Ｃ２、Ｃ３　コネクタ
【図１】
2004031258.tif 000003
【図２】
2004031258.tif 000004
【図３】
2004031258.tif 000005
【図４】
2004031258.tif 000006
【図５】
2004031258.tif 000007
【図６】
2004031258.tif 000008